(57)【要約】本発明は記録媒体に記録される少なくとも停止映像の再生を管理するためのデータ構造を有する記録媒体、それによる記録及び再生方法及び装置に関する。前記記録媒体にはナビゲーション情報が記録されるナビゲーション領域がある。前記ナビゲーション情報は、停止映像で表示される、ビデオデータを含んだクリップファイルの一部と、前記停止映像を表示する持続時間を指す。
2005538604.tif 000002
【特許請求の範囲】
【請求項１】
記録媒体に記録される少なくとも停止映像の再生を管理するためのデータ構造を有する記録媒体において、
停止映像で表示される、ビデオデータを含んだクリップファイルの一部と、前記停止映像を表示する持続時間を指すナビゲーション情報を含むナビゲーション領域を含んで構成される記録媒体。
【請求項２】
請求項１において、
少なくとも一つ以上の再生リストディレクトリと、前記ナビゲーション情報を含む、前記再生リストディレクトリ内の再生リストを、含む再生リスト領域をさらに含んで構成される記録媒体。
【請求項３】
請求項２において、
前記再生リストには再生アイテムが含まれて、前記再生アイテムに前記ナビゲーション情報が含まれることを特徴とする記録媒体。
【請求項４】
請求項３において、
前記再生アイテムには停止映像を表示することを指すインジケーターが含まれることを特徴とする記録媒体。
【請求項５】
請求項３において、
前記再生アイテムには前記再生アイテムを形成する情報フィールドの長さを指す長さインジケーターが含まれることを特徴とする記録媒体。
【請求項６】
請求項３において、
前記再生アイテムにはクリップファイルと連係するクリップ情報ファイルのファイル名を指すインジケーターが含まれることを特徴とする記録媒体。
【請求項７】
請求項６において、
前記再生アイテムには前記クリップ情報ファイル名が指すクリップファイルの一部に対するＳＴＣ  ｉｄを指すインジケーターが含まれることを特徴とする記録媒体。
【請求項８】
請求項３において、
前記再生リストには前記クリップファイル内の停止映像を指す少なくとも一つ以上の再生リストマークがさらに含まれることを特徴とする記録媒体。
【請求項９】
請求項２において、
前記再生リストにはサブ再生アイテムが含まれて、前記サブ再生アイテムには前記ナビゲーション情報が含まれることを特徴とする記録媒体。
【請求項１０】
請求項２において、
前記ナビゲーション情報には前記クリップファイル内の停止映像を指す少なくとも一つ以上の再生リストマークがさらに含まれることを特徴とする記録媒体。
【請求項１１】
請求項１において、
前記ナビゲーション情報には前記停止映像を制約的または無限的持続時間の間表示することかを指すことを特徴とする記録媒体。
【請求項１２】
請求項９において、
前記ナビゲーション情報が停止映像を制約的持続時間の間表示することを指す時、前記ナビゲーション情報には前記停止映像を表示する持続時間が含まれることを特徴とする記録媒体。
【請求項１３】
請求項１において、
ビデオデータのクリップファイルを貯蔵するデータ領域をさらに含んで構成されることを特徴とする記録媒体。
【請求項１４】
請求項１３において、
前記クリップファイルのビデオデータにはＩ−ｐｉｃｔｕｒｅ、Ｂ−ｐｉｃｔｕｒｅ、及びＰ−ｐｉｃｔｕｒｅのうち少なくとも一つ以上が含まれることを特徴とする記録媒体。
【請求項１５】
請求項１４において、
前記ナビゲーション情報は前記クリップファイル内のＩ−ｐｉｃｔｕｒｅ、Ｂ−ｐｉｃｔｕｒｅ、及びＰ−ｐｉｃｔｕｒｅのうち少なくとも一つ以上を停止映像で表示することを指すことを特徴とする記録媒体。
【請求項１６】
停止映像で表示される、ビデオデータを含んだクリップファイルの一部と、前記停止映像を表示する持続時間を指すナビゲーション情報を基礎にして、記録媒体に記録されるクリップファイルから停止映像を再生する段階で構成される、記録媒体から停止映像を再生する方法。
【請求項１７】
請求項１６において、
前記方法は、
前記記録媒体に記録される再生リスト内の再生リストマーク、再生アイテム、及びサブ再生アイテムのうちの一つを再生する段階をさらに含んで構成されて、ここで
前記再生リストマーク、再生アイテム、及びサブ再生アイテムのうちの一つが前記ナビゲーション情報を提供することを特徴とする方法。
【請求項１８】
記録媒体に記録されるデータを再生する光再生手段を駆動する駆動器；及び
停止映像で表示される、ビデオデータを含んだクリップファイルの一部と、前記停止映像を表示する持続時間を指すナビゲーション情報を基礎にして、記録媒体に記録されるクリップファイルから停止映像を再生するように前記駆動器を制御する制御器を含んで構成される、記録媒体に記録される停止映像を再生する装置。
【請求項１９】
記録媒体に記録される少なくとも停止映像の再生を管理するためのデータ構造を記録する方法において、
前記方法は、
記録媒体のナビゲーション領域にナビゲーション情報を記録する段階で構成されて、ここで
前記ナビゲーション情報は、停止映像で表示される、ビデオデータを含んだクリップファイルの一部と、前記停止映像を表示する持続時間を指すことを特徴とする方法。
【請求項２０】
記録媒体に記録される少なくとも停止映像の再生を管理するためのデータ構造を記録する装置において、
前記装置は、
前記記録媒体にデータを記録する光記録手段を駆動する駆動器と；
少なくとも多重再生経路データをエンコーディングするためのエンコーダー；及び
前記記録媒体のナビゲーション領域にナビゲーション情報を記録するように前記駆動器を制御する制御器を含んで構成されて、ここで、
前記ナビゲーション情報は、停止映像で表示される、ビデオデータを含んだクリップファイルの一部と、前記停止映像を表示する持続時間を指すことを特徴とする装置。
【発明の詳細な説明】
【技術分野】
【０００１】
本発明は記録媒体に記録される少なくとも停止映像（Ｓｔｉｌｌ  Ｉｍａｇｅｓ）の再生を管理するためのデータ構造を有する記録媒体、それによる記録及び再生方法及び装置に関する。
【背景技術】
【０００２】
最近には、高画質のビデオデータと高音質のオーディオデータを高容量貯蔵することができる新しい高密度再生専用または再記録可能光ディスクに対する規格化作業が急速に展開されて、新しい光ディスクと関連された製品がまもなく商用化されることに期待されている。このような新しい光ディスクに対する例としては再記録可能ブルーレイディスク（ＢＤ−ＲＥ：Ｂｌｕｅ−ｒａｙ  Ｄｉｓｃ  Ｒｅｗｒｉｔａｂｌｅ）と読み取り専用ブルーレイディスク（ＢＤ−ＲＯＭ）がある。
【０００３】
前記ＢＤ−ＲＯＭのような高密度再生専用光ディスクに対する標準化作業は相変らず進行中である。しかし、前記高密度再生専用光ディスクに記録される停止映像（Ｓｔｉｌｌ  Ｉｍａｇｅｓ）の再生を管理するためのデータ構造に対する効果的な解決方案がまだ用意されていない。
【０００４】
したがって、本発明は前記のような実情を勘案して創作されたものであって、本発明による記録媒体には記録媒体に記録される少なくとも停止映像の再生を管理するためのデータ構造が含まれる。
【０００５】
本発明の一実施形態で、前記記録媒体のナビゲーション領域には、停止映像で表示される、ビデオデータを含んだクリップファイルの一部と、前記停止映像を表示する持続時間を指すナビゲーション情報が含まれる。例えば、一つの実施形態では、前記記録媒体の再生リスト領域には少なくとも一つ以上の再生リストディレクトリが含まれて、前記再生リストディレクトリにある再生リストに前記ナビゲーション情報が含まれる。
【０００６】
本発明の一実施形態で、前記再生リストファイルには前記停止映像ファイルに対するナビゲーション情報を提供する再生アイテムフィールド（Ｆｉｅｌｄ）とサブ再生アイテム（ｓｕｂ−ｐｌａｙｉｔｅｍ）フィールドのうちの一つが含まれる。他の実施形態では、前記再生リストには前記クリップファイルにある停止映像を指す少なくとも一つ以上の再生リストマークが含まれる。
【０００７】
本発明の他の実施形態で、前記ナビゲーション情報は制約的持続時間または無限的持続時間の間前記停止映像を表示することかを指す。また他の実施形態で、前記ナビゲーション情報が前記停止映像を制約的持続時間の間表示することを指す時、前記停止映像を表示する制約的持続時間が提供される。
【０００８】
また、本発明によるデータ構造を記録して再生するための装置と方法が提示される。
【発明を実施するための最良の形態】
【０００９】
以下、本発明に対する望ましい実施形態に対して、添付した図面を参照しながら詳細に説明する。
【００１０】
本発明による高密度光ディスク、例えばＢＤ−ＲＯＭ、ＢＤ−ＲＥなどは、図１に示したように、ビデオとオーディオデータの再生を管理するファイルまたはデータ構造を有する。図１のような本発明によるデータ構造はいろいろな面で公知されたＢＤ−ＲＥのデータ構造と同様である。したがって、同様の部分は詳細な説明を省略する。
【００１１】
図１に示したように、ルートディレクトリには少なくとも一つ以上のＢＤディレクトリがある。前記ＢＤディレクトリには、一般ファイル（図示せず）、再生リスト（例えば、*．ｍｐｌｓ）ファイルが貯蔵されるＰＬＡＹＬＩＳＴディレクトリ、クリップ情報ファイル（*．ｃｌｐｉ）が貯蔵されるＣＬＩＰＩＮＦディレクトリ、及びクリップ情報ファイルに対応するＭＰＥＧ−２フォーマットのＡ／Ｖストリームクリップファイル（*．ｍ２ｔｓ）が貯蔵されるＳＴＲＥＡＭディレクトリがある。
【００１２】
前記ＳＴＲＥＡＭディレクトリにはクリップまたはクリップファイルと呼ばれるＭＰＥＧ−２フォーマットのＡ／Ｖストリームクリップファイルが含まれて、前記Ａ／Ｖストリームにはビデオとオーディオソースパケット（Ｓｏｕｒｃｅ  Ｐａｃｋｅｔｓ）が含まれる。例えば、ビデオデータのソースパケットにはヘッダーとトランスポートパケット（Ｔｒａｎｓｐｏｒｔ  Ｐａｃｋｅｔ）が含まれる。ソースパケットにはソースパケット番号が含まれるが、前記ソースパケット番号は一般的にソースパケットにアクセスするための住所役割をするように次々と割り当てられる番号である。トランスポートパケットにはパケット識別子（ＰＩＤ：Ｐａｃｋｅｔ  Ｉｄｅｎｔｉｆｉｅｒ）が含まれるが、前記ＰＩＤはトランスポートパケットが属するトランスポートパケットのシーケンス（Ｓｅｑｕｅｎｃｅ）を識別する。前記シーケンスにある各トランスポートパケットはＰＩＤが同じである。
【００１３】
前記ＣＬＩＰＩＮＦディレクトリには各Ａ／Ｖストリームファイルに連係するクリップ情報ファイルが含まれる。前記クリップ情報ファイルは連係するＡ／Ｖストリームの類型、シーケンス情報、プログラム情報、及びタイミング情報が含まれる。前記シーケンス情報は到着時間基準（ＡＴＣ）とシステム時間基準（ＳＴＣ）のシーケンスを説明する。例えば、前記シーケンス情報はシーケンスの数、各シーケンスのスタートと終わり時間情報、各シーケンスでの１番目ソースパケットの住所、及び各シーケンスでのトランスポートパケットのＰＩＤを指す。プログラムのコンテンツが一定なソースパケットのシーケンスがプログラムシーケンスと呼ばれる。プログラム情報はプログラムシーケンスの数、各プログラムシーケンスのスタート住所、及びプログラムシーケンスにあるトランスポートパケットのＰＩＤを指す。
【００１４】
前記タイミング情報は特徴ポイント情報（ＣＰＩ：Ｃｈａｒａｃｔｅｒｉｓｔｉｃ  Ｐｏｉｎｔ  Ｉｎｆｏｒｍａｔｉｏｎ）と呼ばれる。ＣＰＩの一つの類型がエントリーポイント（ＥＰ：Ｅｎｔｒｙ  Ｐｏｉｎｔ）マップ（Ｍａｐ）である。前記ＥＰマップは、例えば到着時間（ＡＴＣ）及び／またはシステム時間（ＳＴＣ）を基準にして、プレゼンテーションタイムスタンプ（ＰＴＳ：Ｐｒｅｓｅｎｔａｔｉｏｎ  Ｔｉｍｅ  Ｓｔａｍｐ）をソースパケット番号（ＳＰＮ：Ｓｏｕｒｃｅ  Ｐａｃｋｅｔ  Ｎｕｍｂｅｒ）のようなソースパケット住所に連結（ｍａｐ）する。前記プレゼンテーションタイムスタンプ（ＰＴＳ）とソースパケット番号（ＳＰＮ）はＡ／Ｖストリームにあるエントリーポイント（ＥＰ）と関連される。すなわち、前記ＰＴＳとこれと関連したＳＰＮはＡ／Ｖストリームのエントリーポイント（ＥＰ）を指す。指されるパケットはたびたびエントリーポイントパケットと呼ばれる。
【００１５】
ＰＬＡＹＬＩＳＴディレクトリには一つ以上の再生リストファイルがある。再生リストは再生用クリップを容易に編集したり組み合わせるために導入された概念である。再生リストファイルはクリップにある再生区間（Ｐｌａｙｉｎｇ  Ｉｎｔｅｒｖａｌｓ）の集合であって、各再生区間は再生アイテム（Ｐｌａｙｉｔｅｍ）と呼ばれる。前記再生リストファイルは再生リストを形成する各再生アイテムを識別して、各再生アイテムは、例えばＡＴＣまたはＳＴＣを基準にするプレゼンテーションタイムスタンプのような、クリップの時間軸上の位置を指すＩＮ−ｐｏｉｎｔとＯＵＴ−ｐｏｉｎｔの対である。言い換えると、再生リストファイルは再生アイテムを識別して、各再生アイテムは一つのクリップまたはその一部を指してクリップと連係するクリップ情報ファイルを識別する。前記クリップ情報ファイルは前記再生アイテムをソースパケットのクリップに連結するのに使われる。
【００１６】
一般情報ファイル（図示せず）は光ディスクに記録されるＡ／Ｖストリームの再生を管理するための一般情報を提供する。
【００１７】
図１では、本発明による記録媒体のデータ構造を説明するだけでなく、記録媒体の領域を見せてくれている。例えば、前記一般情報ファイルは少なくとも一つ以上の一般情報領域に記録されて、ＰＬＡＹＬＩＳＴディレクトリは少なくとも一つ以上のＰＬＡＹＬＩＳＴディレクトリ領域に記録されて、ＰＬＡＹＬＩＳＴディレクトリ内の各再生リストは前記記録媒体の少なくとも一つ以上の再生リスト領域に記録される。図２では図１のデータ構造を有する記録媒体に対する一例を見せてくれる。図２に示したように、前記記録媒体にはファイルシステム情報領域、データベース（Ｄａｔａｂａｓｅ）領域、そしてＡ／Ｖストリーム領域が含まれる。前記データベース領域には、一般情報ファイルと再生リスト情報領域、及びクリップ情報領域が含まれる。前記一般情報ファイルと再生リスト情報領域には、一般情報ファイル領域の一般情報ファイルと、再生リスト情報領域のＰＬＡＹＬＩＳＴディレクトリと再生リストファイルが記録される。前記クリップ情報領域には、ＣＬＩＰＩＮＦディレクトリと関連されるクリップ情報ファイルが記録される。前記Ａ／Ｖストリーム領域には多様なタイトルのＡ／Ｖストリームが記録される。
【００１８】
ビデオとオーディオデータは一般的に個別タイトルで編成されている。例えば、ビデオとオーディオデータにより表現される他の映画は他のタイトルで編成される。また、タイトルは、本が普通チャプター（Ｃｈａｐｔｅｒｓ）で編成されるように、多くのチャプターで編成されることができる。
【００１９】
ＢＤ−ＲＯＭ、ＢＤ−ＲＥのような新しい高密度記録媒体の貯蔵容量が非常に大きいため、いろいろなバージョンのタイトルがまたは１タイトルの一部が貯蔵されて再生されることができる。例えば、他のカメラ角度のビデオデータが記録媒体に記録されたり、他の例として、タイトルに対するいろいろなバージョンまたは他の言語と関連した一部も前記記録媒体に記録されることができる。また他の例として、タイトルに対する監督バージョン（Ｄｉｒｅｃｔｏｒ’ｓＶｅｒｓｉｏｎ）または映画館用バージョンも前記記録媒体に記録されることができる。または、１タイトルに対して完全成人バージョン、準成人バージョン、そして父母が制限することができる青少年バージョン、または１タイトルの一部が前記記録媒体に記録されることができる。各バージョン、各カメラアングルなどは他の再生経路を有して、このような場合のビデオデータは多重再生経路ビデオデータ（Ｍｕｌｔｉｐｌｅ  Ｒｅｐｒｏｄｕｃｔｉｏｎ  Ｐａｔｈ  Ｖｉｄｅｏ  Ｄａｔａ）と呼ばれる。
【００２０】
ＢＤ−ＲＯＭのような新しい高密度記録媒体の貯蔵容量が大きいため、停止映像は用意した（Ｏｒｇａｎｉｚｅｄ）方式及び／またはユーザーインタラクティブ（Ｉｎｔｅｒａｃｔｉｖｅ）方式で記録されて再生されることができる。本発明による、高密度記録媒体（例えば、高密度光ディスク）で停止映像の再生を管理するためのデータ構造が停止映像の記録及び再生に関する本発明による方法及び装置発明と共に説明される。
【００２１】
図３では停止映像を管理する方法に関する本発明の一実施形態を図示している。図３に示したように、特定絵データ（Ｐｉｃｔｕｒｅ  Ｄａｔａ）がＢＤ−ＲＯＭに記録されるクリップＡ／Ｖストリームのムービーデータ（Ｍｏｖｉｅ  Ｄａｔａ）から選択されて停止映像に指定される。前記特定絵データはＩ−ｐｉｃｔｕｒｅ、Ｐ−ｐｉｃｔｕｒｅ、及びＢ−ｐｉｃｔｕｒｅ中の少なくとも一つである。再生リストマークを前記停止映像のためのマークで定義することによって、前記停止映像の再生を制御するためのナビゲーション情報が生成されて管理される。前記再生リストマークはスチールマーク（Ｓｔｉｌｌ  Ｍａｒｋ）と呼ばれる。前記再生リストマークに対して図４を参照にして詳細に説明される。
【００２２】
図４は連係される再生リストマークにより提供される停止映像に対するナビゲーション情報に対する一実施形態を図示している。再生リストファイルには‘ＰｌａｙＬｉｓｔ  Ｍａｒｋ’と呼ばれる再生リストマーク情報フィールドが含まれる。図４に示したように、前記再生リストマーク情報フィールド（ＰｌａｙＬｉｓｔ  Ｍａｒｋ）には前記情報フィールドの長さ（ｌｅｎｇｔｈ）と再生リストにある再生リストマークの個数（ｎｕｍｂｅｒ＿ｏｆ＿ＰｌａｙＬｉｓｔ＿ｍａｒｋｓ）が記録される。ＢＤ−ＲＥの場合、前記長さフィールドは２６ｂｙｔｅｓの値を有するが、本発明によるＢＤ−ＲＯＭの場合、前記長さフィールドは２６ｂｙｔｅｓより大きい値を有する。各再生リストマークに対して、再生リストマーク情報フィールド（ＰｌａｙＬｉｓｔ  Ｍａｒｋ）にはマーク類型（ｍａｒｋ＿ｔｙｐｅ）、タイムスタンプ（ｍａｒｋ＿ｔｉｍｅ＿ｓｔａｍｐ）、持続時間（ｄｕｒａｔｉｏｎ）、メーカー情報（ｍａｋｅｒｓ＿ｉｎｆｏｒｍａｔｉｏｎ）、及びメーカー名前（ｍａｋｅｒ＿ｎａｍｅ）が記録される。
【００２３】
前記マーク類型（ｍａｒｋ＿ｔｙｐｅ）はマークの類型を指す。例えば、マークがチャプター（Ｃｈａｐｔｅｒ）のスタートを指す時、前記マーク類型（ｍａｒｋ＿ｔｙｐｅ）は連係されるマークをチャプターマークで識別する。また、本発明では１番目縮小画像（Ｔｈｕｍｂｎａｉｌ）、２番目縮小画像、及び停止画像（スチール類型）のマーク類型が含まれる。マーク類型が０ｘ０１ならばこれは１番目縮小画像マークを指して、マーク類型が０ｘ０２ならばこれは２番目縮小画像マークを指して、マーク類型が０ｘ１０ならばこれはスチールマークを指す。前記１番目と２番目縮小画像類型は、ＢＤ−ＲＥ標準で０ｘ０１と０ｘ０２のマーク類型値を有する１番目と２番目縮小画像類型と同じである。図４に示したように、マークが１番目または２番目縮小画像ならば、縮小画像メニューにある連係する縮小画像に対するレファレンス‘ｒｅｆ＿ｔｏ＿ｍｅｎｕ＿ｔｈｕｍｂｎａｉｌ’が提供される。図４に示したように、マークの類型がスチール（Ｓｔｉｌｌ）である場合、予備データフィールドである‘ｒｅｓｅｒｖｅｄ＿ｆｏｒ＿ｗｏｒｄ＿ａｌｉｇｎ’が提供される。
【００２４】
前記マークのタイムスタンプ（ｍａｒｋ＿ｔｉｍｅ＿ｓｔａｍｐ）はマークが位置する地点（Ｐｏｉｎｔ）、すなわちマークが位置するクリップのＡ／Ｖストリームの時間軸（例えば、ＡＴＣ及び／またはＳＴＣ基準で）における地点を指す。前記持続時間は前記マークのタイムスタンプ（ｍａｒｋ＿ｔｉｍｅ＿ｓｔａｍｐ）が指すタイムスタンプからスタートするマークの長さを指す。マークがスチールマークである場合、前記持続時間は前記停止映像が表示される時間の長さを指す。例えば、前記持続時間フィールドが‘０ｘＦＦ’ならば、これは無限的停止状態（無限的持続時間の間停止映像がプレゼンテーションされる状態）を指して、それ以外の場合は制約的停止状態（制約的持続時間の間停止映像がプレゼンテーションされる状態）を指す。
【００２５】
前記メーカー情報（ｍａｋｅｒｓ＿ｉｎｆｏｒｍａｔｉｏｎ）はメーカーにより提供される情報を提供して、前記メーカー名前（ｍａｋｅｒ＿ｎａｍｅ）はメーカーの名前を提供する。
【００２６】
図４を参照にして説明したように、マークがスチールマークである場合、前記スチールマークと連係される情報は前記スチールマークと連係される停止映像を再生するためのナビゲーション情報を提供する。
【００２７】
図５では本発明によって停止映像を管理する方法に対する他の実施形態を図示している。図５に示したように、特定絵データ（Ｐｉｃｔｕｒｅ  Ｄａｔａ）がＢＤ−ＲＯＭに記録されるクリップＡ／Ｖストリームのムービーデータから選択されて停止映像に指定される。スチールインジケーターを定義することによって、前記停止映像の再生を制御するためのナビゲーション情報が生成されて管理される。前記スチールインジケーターは前記クリップＡ／Ｖストリームの絵データを指して停止映像で再生されるようにする。
【００２８】
図６に示したように、前記スチールインジケーター‘ＰｌａｙＬｉｓｔＳｔｉｌｌ  Ｉｎｄｉｃａｔｏｒ’は再生リストファイル‘ＰｌａｙＬｉｓｔ＿Ｆｉｌｅ’に加えられる新しい情報フィールドである。この新しい情報フィールドは前記情報フィールドの長さと再生リストスチールの数‘ｎｕｍｂｅｒ＿ｏｆ＿ＰｌａｙＬｉｓｔ＿ｓｔｉｌｌｓ’が含まれる。各再生リストスチールに対して、前記スチールインジケーター‘ＰｌａｙＬｉｓｔＳｔｉｌｌ  Ｉｎｄｉｃａｔｏｒ’情報フィールドはタイムスタンプ‘ｓｔｉｌｌ＿ｔｉｍｅ＿ｓｔａｍｐ’と持続時間‘ｄｕｒａｔｉｏｎ’が含まれる。
【００２９】
前記再生リストスチールのタイムスタンプ‘ｍａｒｋ＿ｔｉｍｅ＿ｓｔａｍｐ’は再生リストスチールが位置する地点（Ｐｏｉｎｔ）、すなわち再生リストスチールが位置するクリップのＡ／Ｖストリームの時間軸（例えば、ＡＴＣ及び／またはＳＴＣ基準で）における地点を指す。前記持続時間は前記停止映像を表示する持続時間を指す。
【００３０】
図７Ａでは本発明によって停止映像を管理する方法に対する他の実施形態を図示している。図７Ａに示したように、特定絵データ（Ｐｉｃｔｕｒｅ  Ｄａｔａ）がＢＤ−ＲＯＭに記録されるクリップＡ／Ｖストリームのムービーデータから選択されて停止映像に指定される。この実施形態で、再生アイテム（ｐｌａｙｉｔｅｍ）が停止映像を管理するために使われる。例えば図７Ａに示したように、ある再生アイテムは、例えばムービーの一部を再生するためのクリップＡ／Ｖストリームの少なくとも一部を管理して、ある再生アイテムは停止映像を再生するためのクリップＡ／Ｖストリームを管理して、スチール再生アイテム（ｓｔｉｌｌ  ｐｌａｙｉｔｅｍｓ）と呼ばれる。
【００３１】
図８Ａでは本発明による再生アイテム情報フィールドの実施形態を図示している。前記再生アイテム情報フィールド‘Ｐｌａｙｉｔｅｍ’には情報フィールドの長さと再生アイテムに連係されるクリップ情報ファイルの名前‘Ｃｌｉｐ＿Ｉｎｆｏｒｍａｔｉｏｎ＿Ｆｉｌｅ＿Ｎａｍｅ’が記録される。
【００３２】
また、再生アイテム情報フィールドには前記再生アイテムがスチール再生アイテムであるかを指すインジケーター‘Ｃｌｉｐ＿ｃｏｄｅｃ＿ｉｄｅｎｔｉｆｉｅｒ’が含まれる。
【００３３】
もしも前記再生アイテムに連係されるクリップ情報ファイルに与えられるＣＰＩ類型（ｔｙｐｅ）が‘ＣＰＩ  ｔｙｐｅ  ＝  １’により表示されるＥＰマップである場合、前記再生アイテムにはクリップ情報ファイル名‘Ｃｌｉｐ＿Ｉｎｆｏｒｍａｔｉｏｎ＿ｆｉｌｅ＿ｎａｍｅ’により指示されるクリップでのＳＴＣレファレンス（ｒｅｆｅｒｅｎｃｅ）‘ｒｅｆ＿ｔｏ＿ＳＴＣ＿ｉｄ’が含まれる。
【００３４】
また、前記再生アイテムには‘ＩＮ＿ｔｉｍｅ’と‘Ｄｕｒａｔｉｏｎ’または‘ＯＵＴ＿ｔｉｍｅ’フィールドが含まれる。前記‘ＩＮ＿ｔｉｍｅ’フィールドは、２バイトを占めて、前記停止映像の表示が始まる地点を指す。前記‘Ｄｕｒａｔｉｏｎ（ＯＵＴ＿ｔｉｍｅ）’フィールドは、２バイトを占めて、前記停止映像が制約的持続時間または無限的持続時間の間表示されるかを指したり前記停止映像の表示が終わる地点を指す。
【００３５】
図８Ｂでは本発明による再生アイテム情報フィールドの他の実施形態を図示している。図８Ｂに示したように、この実施形態は、前記再生アイテムがスチール再生アイテムであれば（図８Ｂでｉｆ（＜Ｓｔｉｌｌ＿Ｉｍａｇｅ＞））停止映像の数‘ｎｕｍｂｅｒ＿ｏｆ＿ｓｔｉｌｌ＿ｉｍａｇｅｓ’と各停止映像に対して次のようなインジケーターフィールドが与えられることを除いては、図８Ａの実施形態と同じである。各停止映像に対して、停止映像のディスプレー持続時間を指すインジケーター‘ｄｕｒａｔｉｏｎ’、ディスプレータイミングを指すインジケーター‘ｄｉｓｐｌａｙ＿ｔｉｍｉｎｇ＿ｍｏｄｅ’、ディスプレー順序を指すインジケーター‘ｄｉｓｐｌａｙ＿ｏｒｄｅｒ＿ｍｏｄｅ’、ディスプレー効果を指すインジケーター‘ｄｉｓｐｌａｙ＿ｅｆｆｅｃｔ＿ｍｏｄｅ’、そしてディスプレー効果の持続時間を指すインジケーター‘ｄｉｓｐｌａｙ＿ｅｆｆｅｃｔ＿ｐｅｒｉｏｄ’などが与えられる。
【００３６】
前記‘ｄｉｓｐｌａｙ＿ｔｉｍｉｎｇ＿ｍｏｄｅ’フィールドが‘０’ならば、これは自動スライドショー（Ｓｌｉｄｅｓｈｏｗ）を指す。前記‘ｄｉｓｐｌａｙ＿ｔｉｍｉｎｇ＿ｍｏｄｅ’フィールドが‘１’ならば、停止映像をユーザーのキー入力によって表示するブラウザブルスチール動作（Ｂｒｏｗｓａｂｌｅ  Ｓｔｉｌｌ  Ｏｐｅｒａｔｉｏｎ）またはスライドショー動作（Ｓｌｉｄｅｓｈｏｗ  Ｏｐｅｒａｔｉｏｎ）を指す。前記‘ｄｉｓｐｌａｙ＿ｏｒｄｅｒ＿ｍｏｄｅ’フィールドが‘０’ならば、これは停止映像が連続で表示される順次スチール動作（Ｓｅｑｕｅｎｔｉａｌ  Ｓｔｉｌｌ  Ｏｐｅｒａｔｉｏｎ）を指して、前記‘ｄｉｓｐｌａｙ＿ｏｒｄｅｒ＿ｍｏｄｅ’フィールドが‘１’ならば、停止映像が不規則的に表示されるランダムスチール動作（Ｒａｎｄｏｍ  Ｓｔｉｌｌ  Ｏｐｅｒａｔｉｏｎ）を指す。
【００３７】
前記‘ｄｉｓｐｌａｙ＿ｅｆｆｅｃｔ＿ｍｏｄｅ’フィールドは停止映像に適用される効果、すなわちカット−イン／カット−アウト（Ｃｕｔ−ｉｎ／Ｃｕｔ−ｏｕｔ）またはフェード−イン／フェード−アウト（Ｆａｄｅ−ｉｎ／Ｆａｄｅ−ｏｕｔ）のような効果を指す。前記‘ｄｉｓｐｌａｙ＿ｅｆｆｅｃｔ＿ｐｅｒｉｏｄ’フィールドは該当ディスプレー効果が有効な持続時間を指す。前記‘ｄｉｓｐｌａｙ＿ｔｉｍｉｎｇ＿ｍｏｄｅ’、‘ｄｉｓｐｌａｙ＿ｏｒｄｅｒ＿ｍｏｄｅ’、‘ｄｉｓｐｌａｙ＿ｅｆｆｅｃｔ＿ｍｏｄｅ’、及び‘ｄｉｓｐｌａｙ＿ｅｆｆｅｃｔ＿ｐｅｒｉｏｄ’フィールドは各停止映像別に定義されて管理されることができる。図７Ｂでは停止映像を管理する方法に関する他の実施形態を図示している。この実施形態で、再生アイテム（ｐｌａｙｉｔｅｍ）が一つまたはそれ以上の停止映像を管理するために使われる。例えば、図７Ｂに示したように、ある再生アイテムはムービービデオとオーディオデータを共に管理したりオーディオデータのみを管理して、ある再生アイテムは、一つの停止映像、一群れの停止映像、またはスライドショー（またはスライドショーの一部）を管理して、スチール再生アイテム（ｓｔｉｌｌ  ｐｌａｙｉｔｅｍｓ）だと呼ばれる。
【００３８】
前記再生リストに対応するクリップＡ／Ｖストリームにはムービービデオとオーディオデータが共に含まれたりオーディオデータだけが含まれることができる。前記停止映像は一つのイメージファイルで貯蔵されたり、各停止映像は別個のイメージファイルで貯蔵されることができる。前記再生リストの再生アイテムは前記停止映像とクリップＡ／Ｖストリームを連係するナビゲーション情報を提供する。前記停止映像と、例えばオーディオデータは別個のファイルで記録されて別個のファイルで管理される。このような方式で、前記停止映像とオーディオデータは、単に相互に無関係だが、共に再生されることができる。例えば、スライドショーを形成する停止映像に連係されるオーディオデータクリップが続けて（または繰り返して）再生される間停止映像が表示される。
【００３９】
図７Ｂの実施形態で、前記再生アイテムは、例えば図８Ａまたは図８Ｂ実施形態の構造を有することができる。
【００４０】
図９では本発明によって停止映像を管理する方法に対する他の実施形態を図示している。図９に示したように、特定絵データがＢＤ−ＲＯＭに記録されるクリップＡ／Ｖストリームのムービーデータから選択されて停止映像に指定される。この実施形態では、サブ再生アイテムが停止映像を管理するために使われる。
【００４１】
図１０では本発明によるサブ再生アイテム情報フィールドの実施形態を図示している。前記サブ再生アイテム情報フィールド‘ＳｕｂＰｌａｙｉｔｅｍ’には情報フィールドの長さとサブ再生アイテムに連係されるクリップ情報ファイルの名前‘Ｃｌｉｐ＿Ｉｎｆｏｒｍａｔｉｏｎ＿Ｆｉｌｅ＿Ｎａｍｅ’が記録される。
【００４２】
また、サブ再生アイテム情報フィールドには、前記サブ再生アイテムがスチールサブ再生アイテムであるかそして停止映像に連係されるかを指す、‘Ｃｌｉｐ＿ｃｏｄｅｃ＿ｉｄｅｎｔｉｆｉｅｒ’と‘ＳｕｂＰｌａｙｉｔｅｍ＿ｔｙｐｅ’インジケーターが含まれる。類型インジケーターである‘ＳｕｂＰｌａｙｉｔｅｍ＿ｔｙｐｅ’に対しては、もしも‘ＳｕｂＰｌａｙｉｔｅｍ＿ｔｙｐｅ’が、例えば‘２’ならば、これはサブ再生アイテムが連係される停止映像を表示するサブパス（ｓｕｂ−ｐａｔｈ）と連係されることを指す。
【００４３】
‘ＳｕｂＰｌａｙｉｔｅｍ＿ＩＮ＿ｔｉｍｅ’フィールドは、２バイトを占めて、停止映像の表示が始まる地点を指す。‘Ｄｕｒａｔｉｏｎ（ＳｕｂＰｌａｙｉｔｅｍ＿ＯＵＴ＿ｔｉｍｅ）’フィールドは、２バイトを占めて、前記停止映像が制約的持続時間または無限的持続時間の間表示されるかを指したり前記停止映像の表示が終わる地点を指す。
【００４４】
前記サブ再生アイテムにはクリップ情報ファイル名‘Ｃｌｉｐ＿Ｉｎｆｏｒｍａｔｉｏｎ＿ｆｉｌｅ＿ｎａｍｅ’により指示されるクリップに対するＳＴＣレファレンス（ｒｅｆｅｒｅｎｃｅ）‘ｒｅｆ＿ｔｏ＿ＳＴＣ＿ｉｄ’が含まれて、このサブ再生アイテムを含む再生アイテムのＩＤである‘ｓｙｎｃ＿ＰｌａｙＩｔｅｍ＿ｉｄ’、及び前記‘ｓｙｎｃ＿Ｐｌａｙｉｔｅｍ＿ｉｄ’により指示される再生アイテムでのプレゼンテーションタイム（Ｐｒｅｓｅｎｔａｔｉｏｎ  Ｔｉｍｅ）を指す‘Ｓｙｎｃ＿ｓｔａｒｔ＿ＰＴＳ＿ｏｆ＿Ｐｌａｙｉｔｅｍ’が含まれる。
【００４５】
他の実施形態で、前記Ａ／Ｖストリームはサブ再生アイテムにより管理されて、前記停止映像は再生アイテムにより管理される。
【００４６】
光ディスク再生装置では、スチールマーク、スチールインジケーター、スチール再生アイテム、サブ再生アイテムのような本発明によるナビゲーション情報を参照にして、一つまたはそれ以上の停止映像を含むＡ／Ｖストリームクリップを、例えば連結されたテレビセットに出力する。図１１は本発明による光ディスク記録及び再生装置に対する構成を示したものである。Ａ／Ｖエンコーダー９は、データ（例えば、ムービービデオとオーディオデータまたはただオーディオデータだけ、及び／または停止映像データ）を入力受けてエンコーディングして、コーディング情報とストリーム属性情報と共に多重化装置（Ｍｕｌｔｉｐｌｅｘｅｒ）８に出力する。多重化装置８は、例えば、ＭＰＥＧ−２伝送ストリーム（ＭＰＥＧ−２  ｔｒａｎｓｐｏｒｔ  ｓｔｒｅａｍ）を作るために、前記入力されるコーディング情報とストリーム属性情報を基礎にして前記エンコーディングされたデータを多重化する。ソース・パケッタイザー（Ｓｏｕｒｃｅ  ｐａｃｋｅｔｉｚｅｒ）７は前記多重化装置８から入力される伝送パケットを光ディスクのオーディオビデオフォーマットに合うソースパケットでパケット化する。図１６に示したように、前記Ａ／Ｖエンコーダー９、前記多重化装置８、そして前記ソース・パケッタイザー７の動作は制御器１０により操縦される。前記制御器１０がユーザーから記録命令を受信すれば、前記Ａ／Ｖエンコーダー９、前記多重化装置８、そして前記ソース・パケッタイザー７に制御情報を送る。例えば、前記制御器１０は、前記Ａ／Ｖエンコーダー９に実行するエンコーディング類型を指示して、前記多重化装置８に作り出す伝送ストリームを指示して、そして前記ソース・パケッタイザー７にソースパケットのフォーマットを指示する。また、前記制御器１０は光ディスクに前記ソース・パケッタイザー７の出力を記録することができるように駆動器３を制御する。
【００４７】
また、前記制御器１０は光ディスクに記録されているデータの再生を管理するためのナビゲーション情報と管理情報を作り出す。例えば、ユーザーとのインターフェース（ディスクに貯蔵されているかコンピュータシステムによりイントラネットまたはインターネットを介して提供する命令語）を介して受けた情報を基礎にして、前記制御器１０は前記光ディスクに図１ないし図１０のデータ構造のうち一つまたはそれ以上を記録するように前記駆動器３を制御する。
【００４８】
再生する間には、前記制御器１０はデータ構造を再生するように前記駆動器３を制御する。すなわち、ディスクに含まれた情報とユーザーインターフェース（記録及び再生装置の操作ボタンまたは前記装置と関連された遠隔操縦）を介して受けたユーザー入力を基礎にして、前記制御器１０は前記光ディスクからデータを再生するように前記駆動器３を制御する。例えば、本発明の実施形態を参照にして説明したように、一つの停止映像または停止映像らが、本発明の実施形態によって提供される前記ナビゲーション情報を基礎にして、Ａ／Ｖストリームクリップから再生されることができる。また、一つの停止映像または一群れの停止映像がスライドショーまたはスライドショーの一部で再生されることもできる。スライドショーは連続スライドショー、ランダムスライドショー、ブラウザブル（Ｂｒｏｗｓａｂｌｅ）スライドショーなどになることができる。
【００４９】
例えば、ブラウザブルスライドショーはスチールマークで定義される再生リストマークを基礎にして再生されることができる。この場合、前記制御器１０は、再生リストを再生して、前記再生リスト内のナビゲーション情報を基礎にして、Ａ／Ｖストリームデータクリップから停止映像を再生する。前記制御器１０では、ユーザーから次または以前停止映像に飛び越えろとの命令を受ける前までは前記停止映像を出力するようにして、以後次または以前停止映像を再生する。このような次または以前停止映像は前記再生リスト内の次または以前スチールマークにより参照される次または以前停止映像であることである。このようなブラウザブルスライドショー動作はスチールインジケーターを基礎にして実行されることができる。
【００５０】
ブラウザブルスライドショーはスチール再生アイテムまたはサブ再生アイテムで定義される再生アイテムまたはサブ再生アイテムを基礎にして再生されることもできる。ここで、前記制御器１０では、前記再生リスト内のスチール再生アイテムまたはサブ再生アイテムにより参照される停止映像を再生する。前記制御器１０では、ユーザーから次または以前停止映像に飛び越えろとの命令を受ける前までは前記停止映像を出力するようにして、以後次または以前停止映像を再生する。このような次または以前停止映像は前記再生リスト内の前記次または以前スチール再生アイテムまたはスチールサブ再生アイテムにより参照される停止映像であることである。
【００５１】
ソース・デパケッタイザー（Ｓｏｕｒｃｅ  Ｄｅｐａｃｋｅｔｉｚｅｒ）４は再生されたソースパケットを入力受けてＭＰＥＧ−２伝送パケットストリームのようなデータストリームに転換する。多重分離装置（Ｄｅｍｕｌｔｉｐｌｅｘｅｒ）５は前記データストリームをエンコーディングされたデータに逆多重化する。Ａ／Ｖデコーダー６はエンコーディングされたデータをデコーディングして元のデータに作る。再生する間、前記ソース・デパケッタイザー４、前記多重分離装置５、そして前記Ａ／Ｖデコーダー６の動作は前記制御器１０により操縦される。前記制御器１０がユーザーから再生命令を受信すれば、前記ソース・デパケッタイザー４、前記多重分離装置５、そして前記Ａ／Ｖデコーダー６に制御情報を送る。例えば、前記制御器１０は、前記ソース・デパケッタイザー４にソースパケットのフォーマットを指示して、前記多重分離装置５に逆多重化する伝送ストリームを指示して、そして前記Ａ／Ｖデコーダー６に実行するデコーディング類型を指示する。
【００５２】
図１１には記録と再生装置に関して図示しているが、図１１の構成要素一部だけで記録動作または再生動作だけ提供する専用記録装置または専用再生装置も可能である。
【００５３】
次に、停止映像表示位置を感知するようにするスチール情報パケット（Ｓｔｉｌｌ  Ｉｎｆｏｒｍａｔｉｏｎ  Ｐａｃｋｅｔｓ）を記録する方法に関する実施形態が詳細に説明される。図１２は停止映像を検出するためのスチール情報パケットを記録する方法に対する実施形態を示したものである。この方法で、スチールマーク、スチールインジケーター、スチール再生アイテム、サブ再生アイテムのうち少なくともいずれか一つのナビゲーション情報により指定されるクリップＡ／Ｖストリーム内のスチールディスプレースタート位置とスチールディスプレー終わり位置に記録されるソースパケットは、停止映像をグループ別に識別するためのスチール情報パケットで定義される。
【００５４】
スチール情報パケットは４バイトのトランスポートパケット（ＴＰ：Ｔｒａｎｓｐｏｒｔ  Ｐａｃｋｅｔ）エクストラヘッダー（ＴＰ  Ｅｘｔｒａ  Ｈｅａｄ）と１８８バイトのＭＰＥＧ２  ＴＰで構成される。前記ＭＰＥＧ２  ＴＰはパケットヘッダーと有料負荷（Ｐａｙｌｏａｄ）で構成されるが、前記スチール情報（Ｓｔｉｌｌ  Ｉｎｆｏｒｍａｔｉｏｎ）には、図１２に示したように、‘ｓｔｉｌｌ＿ｓｔａｒｔ＿ｅｎｄ＿ｆｌａｇ’、‘ｉｍａｇｅ＿ｉｎｆｏ’、及び‘ｄｉｓｐｌａｙ＿ｉｎｆｏ’フィールドが含まれる。停止映像の数フィールド‘ｎｕｍｂｅｒ＿ｏｆ＿ｉｍａｇｅｓ’、及び表示情報フィールドが含まれる。例えば、‘ｓｔｉｌｌ＿ｓｔａｒｔ＿ｅｎｄ＿ｆｌａｇ’が‘０’ならばこれは停止映像のスタート位置を指して、前記フラッグ（Ｆｌａｇ）が‘１’ならばこれは停止映像の終わり位置を指す。
【００５５】
前記‘ｉｍａｇｅ＿ｉｎｆｏ’フィールドは表示される停止映像の属性（Ａｔｔｒｉｂｕｔｅｓ）と表示特性（Ｃｈａｒａｃｔｅｒｉｓｔｉｃｓ）を指して、前記‘ｄｉｓｐｌａｙ＿ｉｎｆｏ’フィールドには表示順序、表示効果、及び表示効果の持続時間などが含まれることができる。前記表示順序モードは、例えば停止映像が連続で表示される順次スチール動作（Ｓｅｑｕｅｎｔｉａｌ  Ｓｔｉｌｌ  Ｏｐｅｒａｔｉｏｎ）または停止映像が不規則的に表示されるランダムスチール動作（Ｒａｎｄｏｍ  Ｓｔｉｌｌ  Ｏｐｅｒａｔｉｏｎ）を指す。前記効果モードは停止映像に適用される効果、すなわちカット−イン／カット−アウト（Ｃｕｔ−ｉｎ／Ｃｕｔ−ｏｕｔ）またはフェード−イン／フェード−アウト（Ｆａｄｅ−ｉｎ／Ｆａｄｅ−ｏｕｔ）のような効果を指す。前記効果持続時間フィールドは該当ディスプレー効果が有効な持続時間を指す。
【００５６】
クリップＡ／Ｖストリームを再生していた途中、図１１に図示したＶＤＰシステムに含まれたデコーダーでスチール情報が含まれたソースパケットを検出すれば、すなわちスチール情報パケットを検出すれば、光ディスク再生装置では、前記クリップＡ／Ｖストリームのデコーディング動作を一時停止した後停止映像として前記絵データを表示する。
【００５７】
上で説明したように、本発明は高密度記録媒体（例えば、ＢＤ−ＲＯＭのような高密度光ディスク）に記録される停止映像を管理するためのデータ構造を有する記録媒体を提供する。例えば、前記データ構造では停止映像を多くの方法で表示することができるようにする。
【００５８】
また、本発明は記録媒体に記録される停止映像を管理するために、高密度記録媒体にデータ構造を記録する方法と装置を提供する。
【００５９】
また、本発明は停止映像の再生を管理するために、前記記録媒体に記録されるデータ構造を基礎にして、高密度記録媒体に記録される停止映像を再生する方法と装置を提供する。
【００６０】
以上、前述した本発明の望ましい実施形態は例示の目的のために開示されたものであって、前記ＢＤ−ＲＯＭ以外の他の光ディスクにも拡大適用が可能であり、また当業者ならば添付された特許請求範囲に開示された本発明の技術的思想とその技術的範囲内で、多様な他の実施形態を改良、変更、代替または付加などが可能であることである。
【図面の簡単な説明】
【００６１】
【図１】本発明による記録媒体のファイルまたはデータ構造を示した図である。
【図２】図１のデータ構造を有する記録媒体を示した図である。
【図３】本発明の実施形態によって停止映像を管理する方法を示した図である。
【図４】連係される再生リストマークにより提供される停止映像に対するナビゲーション情報に対する一実施形態を示した図である。
【図５】本発明によって停止映像を管理する方法に対する他の実施形態を示した図である。
【図６】スチールインジケーター（Ｓｔｉｌｌ  Ｉｎｄｉｃａｔｏｒ）情報フィールドにより提供される停止映像に対するナビゲーション情報に対する一実施形態を示した図である。
【図７Ａ】本発明によって停止映像を管理する方法に対する他の実施形態を示した図である。
【図７Ｂ】本発明によって停止映像を管理する方法に対する他の実施形態を示した図である。
【図８Ａ】本発明による再生アイテム情報フィールドの実施形態を示した図である。
【図８Ｂ】本発明による再生アイテム情報フィールドの実施形態を示した図である。
【図９】本発明によって停止映像を管理する方法に対する他の実施形態を示した図である。
【図１０】本発明によるサブ再生アイテム情報フィールドの実施形態を示した図である。
【図１１】本発明による光ディスク記録及び再生装置に対する構成を示した図である。
【図１２】本発明の実施形態によって停止映像の表示位置を識別するためのスチール情報パケット（Ｓｔｉｌｌ  Ｉｎｆｏｒｍａｔｉｏｎ  Ｐａｃｋｅｔｓ）を記録する方法を示した図である。
【図１】
2005538604.tif 000003
【図２】
2005538604.tif 000004
【図３】
2005538604.tif 000005
【図４】
2005538604.tif 000006
【図５】
2005538604.tif 000007
【図６】
2005538604.tif 000008
【図７Ａ】
2005538604.tif 000009
【図７Ｂ】
2005538604.tif 000010
【図８Ａ】
2005538604.tif 000011
【図８Ｂ】
2005538604.tif 000012
【図９】
2005538604.tif 000013
【図１０】
2005538604.tif 000014
【図１１】
2005538604.tif 000015
【図１２】
2005538604.tif 000016
【国際調査報告】
2005538604.tif 000017
2005538604.tif 000018